(57)【特許請求の範囲】
【請求項１】
端部が開口された筒状の金属製容器本体と、
前記容器本体の外周よりも大きな外径の鍔部を有して該鍔部の内面を前記容器本体の開口面に密着当接させて前記開口を塞いで取り付けた金属製の蓋と、
前記容器本体の開口面と密着される部位を外れた前記鍔部上の位置に、該鍔部を前後方向に貫通させて設けた取付孔と、
前記容器本体の開口端側における外周部分に周回溝を設けることで形成した係合部と、
前記容器本体の前記係合部と係合されて前記容器本体より抜ける方向の移動が規制された状態にして前記容器本体の外周上に前記蓋の前記鍔部と面対向して配置され、Ｃリング状であって、樹脂材からなる絶縁材料で形成した固定リングと、
前記取付孔と対応して前記固定リング側に形成したねじ孔と、
前記取付孔内に装着されたパイプ状の絶縁材料で形成されたブッシュと、
前記蓋の外側より前記取付孔内に挿入されて前記絶縁ブッシュ内を通った後、前記固定リングのねじ孔内にねじ止めされて前記蓋と前記固定リングの間を締め付けるボルト、
とを備えたことを特徴とする水密容器。
【請求項２】
前記容器本体は両端が開口されており、この両端に前記蓋と前記固定リングと前記ボルトを各々取り付けてなる請求項１に記載の水密容器。
【発明の詳細な説明】
【０００１】
【発明の属する技術分野】
本発明は、水や油等で濡らすことのできない各種装置を内蔵させるための水密容器で、特に耐食性の良い構造にした水密容器に関するものである。
【０００２】
【従来の技術】
図３及び図４は従来の水密容器の一例を示すもので、図３はその外観側面図、図４は図３中のＢ部を破断して示す拡大図である。
図３及び図４において、この水密容器５１は、両端が開口されている筒形の容器本体５２を備え、この容器本体５２の両側における開口されている部分５３（図４参照）の面に蓋５４を密着当接させ、この蓋５４を通って容器本体５１にねじ止めされるボルト５５で、容器本体５２と蓋５４との間を固定している。この構造では、強度性が要求される場合、一般に、ボルト５５は容器本体５２や蓋５４とは異なる金属材で形成されたものが使用される。しかしながら、異種金属同士の接触によって局部電池が発生して電食が起こり、耐食性が悪いと言う問題点があった。
【０００３】
そこで、この電食を防ぐ方法として、容器本体及び蓋にボルトが接触しないようにした構造も提案されている。図５及び図６は、この構造を採用した水密容器の構造例を示すもので、図５はその外観側面図、図６は図５中のＣ部を破断して示す拡大図である。
図５及び図６において、この水密容器７１は、両端が開口されている筒形の容器本体７２を備え、この容器本体７２の開口されている両端の部分に各々形成されているフランジ状の鍔部７３の面に蓋７４を密着させて当接するとともに、蓋７４と鍔部７３を通ってボルト７５を挿入させ、鍔部７３の反対側の面より突き出したボルト７５の先端にナット７６を締め付けて容器本体７２と蓋７４との間を固定している。また、ボルト７５が挿入される取付孔内には、絶縁ブッシュ７７が挿入され、この絶縁ブッシュ７７を介することによって取付孔内でボルト７５が容器本体７２及び蓋７４に接触しないようにして電食を防いでいる。
【０００４】
【発明が解決しようとする課題】
しかしながら、図５及び図６に示した水密容器の構造では、容器本体７２の両端にフランジ状の鍔部７３を各々形成した構造を取っているので、製造が難しく、材料も限定される。このため、材料費及び加工費等によるコストが高くなっている問題点があった。
【０００５】
本発明は、上記問題点に鑑みてなされたものであり、その目的は製造コストを下げて安価に実現することができる水密容器を提供することにある。
【０００６】
【課題を解決するための手段】
本発明に係る水密容器は、端部が開口された筒状の金属製容器本体と、前記容器本体の外周よりも大きな外径の鍔部を有して該鍔部の内面を前記容器本体の開口面に密着当接させて前記開口を塞いで取り付けた金属製の蓋と、前記容器本体の開口面と密着される部位を外れた前記鍔部上の位置に、該鍔部を前後方向に貫通させて設けた取付孔と、前記容器本体の開口端側における外周部分に周回溝を設けることで形成した係合部と、前記容器本体の前記係合部と係合されて前記容器本体より抜ける方向の移動が規制された状態にして前記容器本体の外周上に前記蓋の前記鍔部と面対向して配置され、Ｃリング状であって、樹脂材からなる絶縁材料で形成した固定リングと、前記取付孔と対応して前記固定リング側に形成したねじ孔と、前記取付孔内に装着されたパイプ状の絶縁材料で形成されたブッシュと、前記蓋の外側より前記取付孔内に挿入されて前記絶縁ブッシュ内を通った後、前記固定リングのねじ孔内にねじ止めされて前記蓋と前記固定リングの間を締め付けるボルトとを備えたものである。
【０００７】
これによれば、異種金属間は絶縁性ブッシュを介して配置されることになるので、異種金属同士の接触を無くすことができる。これにより、耐食性が向上し、長期にわたる使用が可能になる。
【０００８】
【発明の実施の形態】
図１及び図２は本発明に係る水密容器の一形態例を示すもので、図１は図１中のＡ部を破断して示す拡大図、図２はその水密容器の外観側面図である。
図１及び図２において、この水密容器１は、両端が開口された筒形の容器本体２を備え、この容器本体２の両側における開口された部分３（図１参照）が、蓋４，固定リング５，ボルト６，絶縁ブッシュ７等を各々用いて左右対称な形で密閉されている。
【０００９】
さらに詳述すると、容器本体２はアルミニウム合金、ステンレス鋼、炭素鋼等の金属材で作られ、また各開口された部分３の外周には周回溝８が形成されている。なお、この周回溝８の形成によって、開口端外周部分には鍔状に膨出された係合部１０が設けられた状態になっている。
【００１０】
蓋４は容器本体２と同様に、ステンレス鋼、炭素鋼等の金属材で作られ、容器本体２の開口内に密着して差しまれる部分１１と、容器本体２の外周側面より突出した状態にして配置される鍔部１２とを一体に有して、略円盤状に形成されている。また、鍔部１２には、容器本体２の外側に位置される部分に対応して、上記絶縁ブッシュ７及びボルト６が挿入される取付孔１３が略等しい間隔で複数（本例では略９０度間隔で４つ）形成されている。なお、上記絶縁ブッシュ７は、ＡＢＳ樹脂、ポリアセタール、ポリアミド等の樹脂材（絶縁材）で作られている。
【００１１】
固定リング５は、絶縁ブッシュ７と同様に、ＡＢＳ樹脂、ポリアセタール、ポリアミド等の樹脂材（絶縁材）で作られ、略リング状に形成されている。また、図示しないが一部には割れ目が入れられ、この割れ目の部分を拡げてリング内に容器本体２の周回溝８の部分を配置できる構造になっている。したがって、その内径は容器本体２における周回溝８の外径に略等しく、また内周部分には容器本体２の係合部１０と対応して凹部１４が形成されている。加えて、蓋４側の取付孔１３と対応する位置には、ボルト６がねじ止めされるねじ孔１５が形成されている。
【００１２】
次に、このように構成された水密容器１の組立手順の一例を説明する。まず、容器本体２内に必要な装置を組み込む。次いで、容器本体２の外周に固定リング５を装着する。
続いて、取付孔１３内に絶縁ブッシュ７を挿入して取り付けた蓋４を用意し、この蓋４の部分１１を容器本体２内に差し込み、鍔部１２の内面が容器本体２の開口面に密着当接されて開口を塞いだ状態にする。これと同時に、固定リング５を周回溝８内に係合配置させて蓋４と密着させると共に、取付孔１３とねじ孔１５とを対応させる。このとき、容器本体２の係合部１０は凹部１４内に受け入れられ、これにより固定リング５が容器本体２より抜ける方向の移動が規制される。
次いで、ボルト６を、蓋４の外側から取付孔１３を通して固定リング５のねじ孔１５にねじ止めし、蓋４と固定リング５との間を強く締め付ける。これを各取付孔１３の部分について行う。すると、容器本体２と蓋４との間がより密着して固定される。この作業を容器本体２の両端について各々行うと水密容器１の組み立てが完了する。図２は、このようにして組み立てられた後の水密容器１を示している。
【００１３】
したがって、本形態例の構造では、ボルト６は絶縁ブッシュ７を介して取付孔１３内に挿入され、ボルト６が蓋４及び容器本体２に接触することがないので、例えボルト６を容器本体２及び蓋４等と異なる金属材で形成したとしても、異種金属同士の接触は起こらない。これにより、異種金属同士の接触で局部電池が発生し、電食が起こるのを防ぐことができ、耐食性を向上させることができる。
また、図５及び図６で説明した従来構造で用いていたような、容器本体の開口部分の外周にフランジ状の鍔を設ける必要も無くなるので、製造コストを下げて安価に提供することができる等の効果が期待できる。
【００１４】
なお、上記形態例では、容器本体２の両端が開口された構造を開示したが、片側端が開口されてなる構造のものにも同様にして適用することができるものである。
【００１５】
【発明の効果】
以上説明したとおり、本発明によれば、異種金属間は絶縁ブッシュを介して配置されることになるので、異種金属同士の接触を無くすことができる。これにより、耐食性が向上し、長期にわたる使用が可能になる。また、構造の簡略化が図れ、製造コストを下げて安価に提供することができる等の効果が期待できる。
【図面の簡単な説明】
【図１】図２中のＡ部を破断して示す拡大図である。
【図２】本発明の一形態例として示す水密容器の外観側面図である。
【図３】従来の水密容器の一例を示す外観側面図である。
【図４】図３中のＢ部を破断して示す拡大図である。
【図５】従来の水密容器の他の一例を示す外観側面図である。
【図６】図５中のＣ部を破断して示す拡大図である。
【符号の説明】
１  水密容器
２  容器本体
４  蓋
５  固定リング
６  ボルト
７  絶縁ブッシュ
８  周回溝
１０  係合部
１３  取付孔
１５  ねじ孔
【図１】
0003753195.tif 000002
【図２】
0003753195.tif 000003
【図３】
0003753195.tif 000004
【図４】
0003753195.tif 000005
【図５】
0003753195.tif 000006
【図６】
0003753195.tif 000007